【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】貴金属を主体として含む改質触媒を有する改質部と、前記改質部の下流側に配置した貴金属を主体として含む変成触媒を有する変成部と、前記変成部の下流側に配置した貴金属を主体として含むＣＯ除去触媒を有するＣＯ除去部と、前記改質部に水蒸気を供給するための水供給部と、前記改質触媒の上流側に燃焼触媒を有する触媒燃焼部と、前記触媒燃焼部に炭化水素系燃料を供給する燃料供給部と、前記触媒燃焼部に空気を供給する空気供給部とを備え、
起動時または停止時に、前記燃料供給部及び前記空気供給部の少なくともいずれか一方が、前記炭化水素系燃料の燃焼反応の化学量論的な当量比より空気過剰側の範囲となるように、前記空気及び前記炭化水素系燃料の少なくともいずれか一方の供給量を制御する水素発生装置の運転方法。
【請求項２】前記触媒燃焼部を予熱するための予熱部を備えた請求項１記載の水素発生装置の運転方法。
【請求項３】前記予熱部が火炎燃焼器である請求項２記載の水素発生装置の運転方法。
【請求項４】前記改質部の温度を検知する改質温度検知器または前記触媒燃焼部に燃焼触媒温度検知器を備え、前記燃料供給部及び前記空気供給部の少なくともいずれか一方が、前記改質温度検知器の検知温度または前記燃焼触媒温度検知器の検知温度が第１の所定温度以下となるように、前記空気及び前記炭化水素系燃料の少なくともいずれか一方の供給量を制御する請求項１記載の水素発生装置の運転方法。
【請求項５】起動時に、前記燃料供給部及び前記空気供給部の少なくともいずれか一方は、前記燃焼反応の化学量論的な当量比より空気過剰側の範囲となるように、前記空気及び前記炭化水素系燃料の少なくともいずれか一方の供給量を制御した後、前記燃焼反応の化学量論的な当量比より燃料過剰側の範囲になるように前記空気及び前記炭化水素系燃料の少なくともいずれか一方の供給量を制御するとともに、前記水供給部は水供給を開始する請求項１記載の水素発生装置の運転方法。
【請求項６】前記予熱部の予熱で前記燃焼触媒温度検知器の検知温度が第２の所定温度を越えた時点で前記燃料供給部による前記炭化水素系燃料の供給を開始する請求項２記載の水素発生装置の運転方法。
【請求項７】前記空気供給部から所定時間空気を供給した後に、前記燃料供給部による前記炭化水素系燃料の供給を開始する請求項１記載の水素発生装置の運転方法。
【請求項８】前記ＣＯ除去部に空気を供給するための第二の空気供給部及び前記変成部に空気を供給するための第三の空気供給部の少なくともいずれか一方を備え、起動時に、
前記燃料供給部及び前記空気供給部の少なくともいずれか一方は、前記燃焼反応の化学量論的な当量比より燃料過剰側の範囲となるように前記空気及び前記炭化水素系燃料の少なくともいずれか一方の供給量を制御するとともに前記水供給部は水供給を開始し、その後、前記第二の空気供給部及び前記第三の空気供給部の少なくともいずれか一方から空気を供給する請求項１記載の水素発生装置の運転方法。
【請求項９】停止時に、前記燃料供給部及び前記空気供給部の少なくともいずれか一方が、前記燃焼反応の化学量論的な当量比より空気過剰側の範囲となるように、前記空気及び前記炭化水素系燃料の少なくともいずれか一方の供給量を制御した後、前記燃料供給部が前記炭化水素系燃料の供給を停止し、その後、前記空気供給部が空気供給を停止する請求項１記載の水素発生装置の運転方法。
【手続補正２】
【補正対象書類名】明細書
【補正対象項目名】０００７
【補正方法】変更
【補正の内容】
【０００７】
【課題を解決するための手段】
上記課題を解決するために、本発明の水素発生装置の運転方法は、貴金属を主体として含む改質触媒を有する改質部と、前記改質部の下流側に配置した貴金属を主体として含む変成触媒を有する変成部と、前記変成部の下流側に配置した貴金属を主体として含むＣＯ除去触媒を有するＣＯ除去部と、前記改質部に水蒸気を供給するための水供給部と、前記改質触媒の上流側に燃焼触媒を有する触媒燃焼部と、前記触媒燃焼部に炭化水素系燃料を供給する燃料供給部と、前記触媒燃焼部に空気を供給する空気供給部とを備え、起動時または停止時に、前記燃料供給部及び前記空気供給部の少なくともいずれか一方が、前記炭化水素系燃料の燃焼反応の化学量論的な当量比より空気過剰側の範囲となるように、前記空気及び前記炭化水素系燃料の少なくともいずれか一方の供給量を制御することを特徴とする。
【手続補正３】
【補正対象書類名】明細書
【補正対象項目名】０００８
【補正方法】変更
【補正の内容】
【０００８】
また、本発明の水素発生装置の運転方法は、前記触媒燃焼部を予熱するための予熱部を備えることを特徴とする。
【手続補正４】
【補正対象書類名】明細書
【補正対象項目名】０００９
【補正方法】変更
【補正の内容】
【０００９】
また、本発明の水素発生装置の運転方法は、前記予熱部が火炎燃焼器であることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、本発明の水素発生装置の運転方法は、前記改質部の温度を検知する改質温度検知器または前記触媒燃焼部に燃焼触媒温度検知器を備え、前記燃料供給部及び前記空気供給部の少なくともいずれか一方が、前記改質温度検知器の検知温度または前記燃焼触媒温度検知器の検知温度が第１の所定温度以下となるように、前記空気及び前記炭化水素系燃料の少なくともいずれか一方の供給量を制御することを特徴とする。
【手続補正８】
【補正対象書類名】明細書
【補正対象項目名】００１３
【補正方法】変更
【補正の内容】
【００１３】
また、本発明の水素発生装置の運転方法は、起動時に、前記燃料供給部及び前記空気供給部の少なくともいずれか一方は、前記燃焼反応の化学量論的な当量比より空気過剰側の範囲となるように、前記空気及び前記炭化水素系燃料の少なくともいずれか一方の供給量を制御した後、前記燃焼反応の化学量論的な当量比より燃料過剰側の範囲になるように前記空気及び前記炭化水素系燃料の少なくともいずれか一方の供給量を制御するとともに、前記水供給部は水供給を開始することを特徴とする。
【手続補正９】
【補正対象書類名】明細書
【補正対象項目名】００１４
【補正方法】変更
【補正の内容】
【００１４】
また、本発明の水素発生装置の運転方法は、前記予熱部の予熱で前記燃焼触媒温度検知器の検知温度が第２の所定温度を越えた時点で前記燃料供給部による前記炭化水素系燃料の供給を開始することを特徴とする。
【手続補正１０】
【補正対象書類名】明細書
【補正対象項目名】００１５
【補正方法】変更
【補正の内容】
【００１５】
また、本発明の水素発生装置の運転方法は、前記空気供給部から所定時間空気を供給した後に、前記燃料供給部による前記炭化水素系燃料の供給を開始することを特徴とする。
【手続補正１１】
【補正対象書類名】明細書
【補正対象項目名】００１６
【補正方法】変更
【補正の内容】
【００１６】
また、本発明の水素発生装置の運転方法は、前記ＣＯ除去部に空気を供給するための第二の空気供給部及び前記変成部に空気を供給するための第三の空気供給部の少なくともいずれか一方を備え、起動時に、前記燃料供給部及び前記空気供給部の少なくともいずれか
一方は、前記燃焼反応の化学量論的な当量比より燃料過剰側の範囲となるように前記空気及び前記炭化水素系燃料の少なくともいずれか一方の供給量を制御するとともに前記水供給部は水供給を開始し、その後、前記第二の空気供給部及び前記第三の空気供給部の少なくともいずれか一方から空気を供給することを特徴とする。
【手続補正１２】
【補正対象書類名】明細書
【補正対象項目名】００１７
【補正方法】変更
【補正の内容】
【００１７】
また、本発明の水素発生装置の運転方法は、停止時に、前記燃料供給部及び前記空気供給部の少なくともいずれか一方が、前記燃焼反応の化学量論的な当量比より空気過剰側の範囲となるように、前記空気及び前記炭化水素系燃料の少なくともいずれか一方の供給量を制御した後、前記燃料供給部が前記炭化水素系燃料の供給を停止し、その後、前記空気供給部が空気供給を停止することを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】